(57)【特許請求の範囲】
【請求項１】
待機位置から繰出完了位置まで繰出される繰出動作を行う可動役物と、前記可動役物を作動させる駆動部と、前記駆動部を制御する制御手段と、を備えた遊技機において、
前記可動役物が、前記待機位置から前記繰出完了位置までの間の前記待機位置とも前記繰出完了位置とも異なる位置であって、前記繰出動作と異なる第１の動作を行っても当該第１の動作時に周囲に存在する他の部材と干渉しない位置である動作許可位置にあることを検出する動作許可位置検出センサを備え、
前記可動役物が前記動作許可位置にあることを前記動作許可位置検出センサが検出したことを条件として、前記可動役物が前記第１の動作を行うように構成され、
前記可動役物が前記動作許可位置にあることを前記動作許可位置検出センサが検出した後に、前記駆動部が前記可動役物を繰出すように駆動したと前記制御手段が判定したことを条件として、前記可動役物が、前記第１の動作と異なる第２の動作を行うように構成され、
前記可動役物が本体部と前記本体部に支持される可動部とを備え、
前記第２の動作は前記可動部が前記本体部の周囲を移動する動作とされ、
前記可動部が、前記第２の動作時に、待機状態における上下方向を保つよう第３の動作を行い、
前記第１の動作と前記第２の動作と前記第３の動作とが、１つの駆動源の駆動力により行われることを特徴とする遊技機。
【請求項２】
前記遊技盤面が画像表示画面を有し、
前記可動役物が前記画像表示画面の周辺部の前方部から前記画像表示画面の中央部の前方部方向に繰出される構成とされていることを特徴とする請求項１記載の遊技機。
【発明の詳細な説明】
【技術分野】
【０００１】
本発明は、可動役物を備えた遊技機に関する。
【背景技術】
【０００２】
従来の遊技機として、下記特許文献１に示すように、演出表示装置と、前記演出表示装置の上部に設けられ前記演出表示装置の前方に重なるように作動する可動役物と、可動役物を作動させる駆動部と、を有し、可動役物は、上下方向に移動する第１可動部と、第１可動部に回転可能に取り付けられ第１可動部と共に移動し第１可動部に対して回転する第２可動部と、を有し、駆動部は、送り出され又は巻き戻されることにより第１可動部を上下方向に移動させるとともに第２可動部を回転させる回転許可部材と、回転許可部材を送り出し又は巻き戻す駆動部と、を有するものがある。この遊技機では、可動役物の初期位置を検出する位置検出部を設け、位置検出部の検出結果に基づいて駆動部が可動役物を作動させる。
【先行技術文献】
【特許文献】
【０００３】
【特許文献１】特開２００７−２６８０１１号公報（請求項１、請求項９）
【発明の概要】
【発明が解決しようとする課題】
【０００４】
上記従来の遊技機では、可動役物の初期位置を検出する位置検出部を設けているが、可動役物が下方向へ移動する途中の位置や下方向への移動を完了したときの位置を検出していないため、可動役物が下方向へ移動する途中の位置や下方向への移動を完了した位置において第２可動部を作動させようとした場合、可動役物が正しい位置に来ていないと、第２可動部が他の部材と干渉してしまう虞があった。
【０００５】
本発明は、上述の課題を解決するものであり、繰出される可動役物が作動時に他の部材と干渉する虞を低減可能な遊技機を提供することを目的とする。
【課題を解決するための手段】
【０００６】
本発明の遊技機は、待機位置から繰出完了位置まで繰出される繰出動作を行う可動役物と、前記可動役物を作動させる駆動部と、前記駆動部を制御する制御手段と、を備えた遊技機において、前記可動役物が、前記待機位置から前記繰出完了位置までの間の前記待機位置とも前記繰出完了位置とも異なる位置であって、前記繰出動作と異なる第１の動作を行っても当該第１の動作時に周囲に存在する他の部材と干渉しない位置である動作許可位置にあることを検出する動作許可位置検出センサを備え、前記可動役物が前記動作許可位置にあることを前記動作許可位置検出センサが検出したことを条件として、前記可動役物が前記第１の動作を行うように構成され、前記可動役物が前記動作許可位置にあることを前記動作許可位置検出センサが検出した後に、前記駆動部が前記可動役物を繰出すように駆動したと前記制御手段が判定したことを条件として、前記可動役物が、前記第１の動作と異なる第２の動作を行うように構成され、前記可動役物が本体部と前記本体部に支持される可動部とを備え、前記第２の動作は前記可動部が前記本体部の周囲を移動する動作とされ、前記可動部が、前記第２の動作時に、待機状態における上下方向を保つよう第３の動作を行い、前記第１の動作と前記第２の動作と前記第３の動作とが、１つの駆動源の駆動力により行われることを特徴とする。
【０００８】
また、前記遊技盤面が画像表示画面を有し、前記可動役物が前記画像表示画面の周辺部の前方部から前記画像表示画面の中央部の前方部方向に繰出される構成とされていることを特徴とする。
【発明の効果】
【０００９】
本発明によれば、可動役物が動作時に他の部材と干渉する虞を低減可能である。
【図面の簡単な説明】
【００１０】
【図１】本発明の実施形態に係る遊技機の正面図である。
【図２】同遊技機の可動役物が待機位置にあるときの遊技盤の概略正面図である。
【図３】同遊技機の電気系統のブロック図である。
【図４】同実施形態に係る可動役物装置の正面側の斜視図である。
【図５】同可動役物装置の分解斜視図である。
【図６】同可動役物装置の背面側の斜視図である。
【図７】同可動役物装置の可動役物の歯車機構を説明するための図である。
【図８】可動役物が待機位置にあるときの同可動役物装置の要部正面図である。
【図９】可動役物が動作許可位置にあるときの同可動役物装置の要部正面図である。
【図１０】可動役物が動作許可位置にあるときの同遊技盤の概略正面図である。
【図１１】可動役物が動作許可位置からさらに繰出完了位置方向に移動したときの同可動役物装置の要部正面図である。
【図１２】可動役物が繰出完了位置にあるときの同可動役物装置の要部正面図である。
【図１３】可動役物が繰出完了位置にあるときの同遊技盤の概略正面図である。
【図１４】可動役物の小可動体が行う第１の動作の説明図である。
【図１５】可動役物の小可動体が行う第２の動作の説明図である。
【図１６】同可動役物装置の動作を示すフローチャートである。
【発明を実施するための形態】
【００１１】
本発明の一実施形態に係る遊技機について、図面に基づいて説明する。図１、２に示すように、実施形態の遊技機１は、パチンコ遊技機であり、前面枠１０の内側に取着された透明部材からなる遊技盤２を備えている。遊技盤２には、ハンドル１１の操作により発射された遊技球が流下する遊技領域３が、レール部材１２で囲まれて形成されている。遊技領域３には、遊技球を誘導する遊技釘（図示せず）が多数突設されている。前面枠１０には、演出ボタン１３、枠ランプ１８及びスピーカ１７が配設され、遊技盤２には、盤ランプ１９（図３参照）が配設されている。
【００１２】
ここで、本明細書中、上下とは、遊技を行うために遊技機１を立設した状態における上下をいい、左右は、遊技盤２の遊技領域３に向かって左右をいうものとする。また、遊技盤２の表面側（遊技領域３側）を前方とし、遊技盤２の裏面側を後方とする。
【００１３】
遊技領域３には、第１画像表示器６の液晶画面６ａ（画像表示画面に相当。）が配置されている。第１画像表示器６は、客待ち用のデモ表示、装飾図柄変動演出、大当たり遊技に並行して行われる大当たり演出などを液晶画面６ａに表示する。装飾図柄変動演出は、数字等の装飾図柄と装飾図柄以外の演出画像とにより構成されて、装飾図柄を変動（この変動を、以下、「装飾図柄変動」という。）させた後停止させ、その停止させた装飾図柄により、大当たり抽選の結果を報知する演出である。この装飾図柄変動演出は、後述する特別図柄変動に並行して行われる。また、大当たり抽選は、遊技球の第１始動口５ａまたは第２始動口５ｂへの入球に対して行われる。
【００１４】
遊技盤２の中央部には、センター役物装置３０が配置されている。センター役物装置３０は、遊技盤２の中央部に形成されたルータ孔に取り付けられる枠体部３１と、遊技盤２に裏面側から取り付けられる液晶ベース（図示せず）とを備えている。液晶ベースには、スポットライトを模した複数の可動体４３を有する第１スポットライト役物装置４０と、スポットライトを模した複数の可動体４３Ｂを有する第２スポットライト役物装置４０Ｂとが組み付けられている。なお、液晶ベースは、後方から第１画像表示器６が取り付けられた状態で、遊技盤２の裏面側に取り付けられ固定されるものである。第１スポットライト役物装置４０の可動体４３が配置された部分、及び、第２スポットライト役物装置４０Ｂの可動体４３Ｂが配置された部分は、遊技盤２を通して視認可能である。
【００１５】
センター役物装置３０の枠体部３１の上枠部３１ａには、可動役物装置１００が取り付けられ、可動役物装置１００は、液晶画面６ａの前方に配置された可動役物１０１を備えて、後に詳述するように、可動役物１０１を待機位置Ｐ０（図２参照）から繰出完了位置Ｐ２（図１３参照）まで繰出すように構成されている。可動役物１０１は、待機位置Ｐ０にあるとき、上枠部３１ａに一体化するように液晶画面６ａの周辺部の前方部に配置され、繰出完了位置Ｐ２にあるとき、液晶画面６ａの中央部の前方部に配置される。なお、本実施形態では、図２、１０、１３に示すように、可動役物１０１の下端で可動役物１０１の位置を示すものとする。
【００１６】
遊技領域３の左右方向における中央下部には、始動入賞装置５が設けられている。始動入賞装置５は、遊技球の入球し易さが常時変わらない第１始動口５ａと、電動チューリップ（以下、「電チュー」という。）５ｃにより開閉される第２始動口５ｂとを備えている。電チュー５ｃは、電チューソレノイド５ｆ（図３参照）により駆動される。第２始動口５ｂは、電チュー５ｃが開いているときのみ遊技球が入賞可能となる。
【００１７】
また、遊技領域３には、大入賞装置７と、遊技球が通過可能なゲート８と、複数の普通入賞装置９とが設けられている。大入賞装置７は、始動入賞装置５の下方に配置されており、大入賞口ソレノイド７ｃ（図３参照）により開閉される大入賞口７ａを備えている。各普通入賞装置９に入った遊技球は、その普通入賞装置９内の普通入賞口９ａに入賞する。
【００１８】
遊技領域３の外側には、複数のランプからなる図柄表示器１４、及び、保留ランプ１６が設けられている。図柄表示器１４に含まれる第１特別図柄表示器１４ａ及び第２特別図柄表示器１４ｂ（図３参照）は、それぞれ、遊技球の第１始動口５ａ、第２始動口５ｂへの入賞を契機として行われる大当たり抽選の結果を、変動表示を経て停止表示された図柄（特別図柄）により報知する（これを「特別図柄変動」という）ものである。第１特別図柄表示器１４ａ、第２特別図柄表示器１４ｂに停止表示された図柄が大当たり図柄又は小当たり図柄であれば、大入賞口７ａを所定回数開閉する当たり遊技が行われる。
【００１９】
特別図柄の変動表示中または当たり遊技中に、遊技球が第１始動口５ａまたは第２始動口５ｂに入賞すると、メイン制御基板２０（図３参照）は、その入賞に対して取得した大当たり乱数等の乱数を、第１始動口５ａへの入賞であれば第１保留記憶部２７ａ（図３参照）に、第２始動口５ｂへの入賞であれば第２保留記憶部２７ｂ（図３参照）に、保留記憶として記憶する。そして、特別図柄変動を実行可能になったときに、記憶しておいた保留記憶に基づいて大当たりか否かの判定を行い、特別図柄変動を実行する。
【００２０】
保留ランプ１６に含まれる第１特別図柄保留ランプ１６ａ及び第２特別図柄保留ランプ１６ｂ（図３参照）は、それぞれ、第１保留記憶部２７ａ、第２保留記憶部２７ｂに記憶されている保留記憶の個数を表示するものである。なお、第１保留記憶部２７ａ、第２保留記憶部２７ｂに記憶される保留記憶の個数は、それぞれ４個が上限とされているため、第１保留記憶部２７ａに４個の保留記憶がある状態で遊技球が第１始動口５ａに入賞したときや、第２保留記憶部２７ｂに４個の保留記憶がある状態で遊技球が第２始動口５ｂに入賞したときは、その入賞に対して大当たり乱数等の乱数は取得されない。
【００２１】
図柄表示器１４に含まれる普通図柄表示器１４ｃ（図３参照）は、ゲート８への遊技球の通過を契機として行われる普通図柄抽選の結果を、変動表示を経て停止表示される普通図柄により報知するものである。停止表示された普通図柄が当たり図柄であれば、所定時間及び所定回数、電チュー５ｃを開く補助遊技が行われる。
【００２２】
普通図柄の変動表示中または補助遊技中に、遊技球がゲート８を通過すると、メイン制御基板２０は、その通過に対して取得した当たり乱数を記憶する。そして、普通図柄の変動表示を開始可能な状態になったときに、記憶しておいた当たり乱数を用いて当たりか否かの判定を行い、普通図柄の変動表示を開始して、その判定結果を示す普通図柄を停止表示する。保留ランプ１６に含まれる普通図柄保留ランプ１６ｃ（図３参照）は、このように記憶されている当たり乱数の個数を表示するものである。なお、記憶される当たり乱数は４個が上限とされているため、４個の当たり乱数が記憶されている状態で遊技球がゲート８を通過しても、その通過に対する当たり乱数の取得は行われない。
【００２３】
次に、図３に基づいて実施形態の遊技機１の電気系統について説明する。実施形態の遊技機１は、メイン制御基板２０、払出制御基板２１、サブ制御基板２５を備え、サブ制御基板２５は、演出制御基板２２、画像制御基板２３、及び、ランプ制御基板２４を備えている。そして、払出制御基板２１及び演出制御基板２２はメイン制御基板２０に接続され、画像制御基板２３及びランプ制御基板２４は演出制御基板２２に接続されている。各制御基板は、ＣＰＵ、ＲＯＭ、ＲＡＭ等を備えている。また、メイン制御基板２０は、ＲＡＭ内に、第１保留記憶部２７ａ及び第２保留記憶部２７ｂを有する保留記憶部２７を備えている。
【００２４】
メイン制御基板２０は、大当たりの抽選や遊技状態の移行など主に利益に関わる制御を行うものである。メイン制御基板２０には、第１始動口５ａ内に設けられて第１始動口５ａに入球した遊技球を検出する第１始動口ＳＷ（スイッチ）５ｄ、第２始動口５ｂ内に設けられて第２始動口５ｂに入球した遊技球を検出する第２始動口ＳＷ５ｅ、電チュー５ｃを駆動する電チューソレノイド５ｆ、ゲート８内に設けられてゲート８を通過した遊技球を検出するゲートＳＷ８ａ、大入賞口７ａ内に設けられて大入賞口７ａに入球した遊技球を検出する大入賞口ＳＷ７ｂ、開閉部材７２を駆動する大入賞口ソレノイド７ｃ、各普通入賞口９ａ内にそれぞれ設けられてその普通入賞口９ａに入球した遊技球を検出する普通入賞口ＳＷ９ｂ、第１特別図柄保留ランプ１６ａ、第２特別図柄保留ランプ１６ｂ、普通図柄保留ランプ１６ｃ、第１特別図柄表示器１４ａ、第２特別図柄表示器１４ｂ、普通図柄表示器１４ｃがそれぞれ接続され、図３に矢印で示すように、各スイッチからはメイン制御基板２０に信号が入力され、各ソレノイドやランプ等にはメイン制御基板２０から信号が出力される。
【００２５】
また、メイン制御基板２０は、払出制御基板２１に各種コマンドを送信するとともに、払い出し監視のために払出制御基板２１から信号を受信する。払出制御基板２１には、図示しない払出装置を駆動する払出駆動モータ２６が接続され、払出制御基板２１は、メイン制御基板２０から受信したコマンドに従って払出駆動モータ２６を動作させ、賞球の払出を行わせる。
【００２６】
さらに、メイン制御基板２０は、演出制御基板２２に対し各種コマンドを送信し、演出制御基板２２は、画像制御基板２３との間でコマンドや信号の送受信を行う。演出制御基板２２には、演出ボタン１３が押下操作されたことを検出する演出ボタン検出ＳＷ１３ａが接続されている。画像制御基板２３には第１画像表示器６及びスピーカ１７が接続され、画像制御基板２３は、演出制御基板２２から受信したコマンドに従って、第１画像表示器６の液晶画面６ａに装飾図柄その他の画像を表示し、スピーカ１７から音声を出力する。また、演出制御基板２２は、ランプ制御基板２４との間でコマンドや信号の送受信を行う。
【００２７】
ランプ制御基板２４には、枠ランプ１８、盤ランプ１９、可動役物装置１００が備える第１電動モータ３０２、第２電動モータ（駆動源に相当。）１０７、第１センサ３６１及び第２センサ３６２等が接続され、ランプ制御基板２４は、演出制御基板２２から受信したコマンドに従って、枠ランプ１８や盤ランプ１９を点灯・消灯し、第１電動モータ３０２及び第２電動モータ１０７を駆動させて可動役物装置１００を動作させる。なお、ランプ制御基板２４には、第１スポットライト役物装置４０が備える電動モータやセンサ、第２スポットライト役物装置４０Ｂが備える電動モータやセンサも接続されているが、これらについては図示していない。ランプ制御基板２４は、第１電動モータ３０２及び第２電動モータ１０７を制御する制御手段に相当する。なお、第１電動モータ３０２及び第２電動モータ１０７は、いずれも、入力パルスに応じたステップ数だけ回転駆動されるステッピングモータである。
【００２８】
次に、可動役物装置１００について詳説する。図４〜６に示すように、可動役物装置１００は、可動役物１０１と、可動役物１０１を遊技盤面に沿って（具体的には、液晶画面６ａに沿って）繰出し引込む繰出装置３００とを備えている。
【００２９】
繰出装置３００は、図４〜６に示すように、上枠部３１ａに取り付けられるベース板３０１、駆動部に相当する第１電動モータ３０２、歯車機構３０３、回転板３０４、ガイドロッド３１２、３１２、スライドレール機構３１５、原動摺動体３１９、固定側ラック３３０、従動摺動体３４０、及び、引張りコイルばね３５２、３５２を備えて構成されている。
【００３０】
第１電動モータ３０２は、ベース板３０１に取り付けられ、作動時、歯車機構３０３を介在させて、ベース板３０１に回動可能に支持された回転板３０４を回転させる。回転板３０４は、第１電動モータ３０２の作動時、可動役物１０１を図２に示す待機位置Ｐ０から図１３に示す繰出完了位置Ｐ２まで繰出す際には、正面から見て時計回り方向に回転し、繰出完了位置Ｐ２から待機位置Ｐ０に引込む際には、正面から見て反時計回り方向に回転する。回転板３０４には、前面側に突出する係止突起３０９が設けられ、係止突起３０９は、原動摺動体３１９の後述する後板部３２０の上部の後面側に形成された矩形状に前方に凹む係止凹部３２０ａに係合されている。なお、回転板３０４は、図８に示す状態から略１８０°回転して、可動役物１０１を待機位置Ｐ０から繰出完了位置Ｐ２に繰出し、また、略１８０°逆転して、可動役物１０１を繰出完了位置Ｐ２から待機位置Ｐ０に復帰させることとなる。
【００３１】
回転板３０４には、外周縁部の一部（具体的には、回転板３０４の回転中心を中心として中心角を約１００°とする範囲）に凹部３０５が形成されている。ベース板３０１には、いずれもフォトセンサである第１センサ３６１、第２センサ３６２が、回転板３０４の外周縁に沿って離間した位置に設けられている。第１センサ３６１、第２センサ３６２は、回転板３０４の外周縁部の凹部３０５以外の部分である遮光部３０８を、発光部と受光部との間に挟み可能に設けられて、回転板３０４の回転に伴って、遮光部３０８が第１センサ３６１、第２センサ３６２に対応する位置に配置されたときは遮光状態を検出し、一方、凹部３０５が第１センサ３６１、第２センサ３６２に対応する位置に配置されたときは、発光部からの光は凹部３０５によっては遮られず、受光状態を検出するように構成されている。
【００３２】
そして、可動役物１０１の待機位置Ｐ０への配置時には、図８に示すように、遮光部３０８の一方の縁部となる検知部３０６が、第１センサ３６１に対応する位置に配置されて、第１センサ３６１は遮光状態を検出し、凹部３０５が第２センサ３６２に対応する位置に配置されて、第２センサ３６２は受光状態を検出する。このように、第１センサ３６１から遮光状態を示す信号が出力され、かつ、第２センサ３６２から受光状態を示す信号が出力されたとき、ランプ制御基板２４は、可動役物１０１が待機位置Ｐ０に配置されたことを検出する。なお、可動役物１０１の待機位置Ｐ０への配置時、係止突起３０９は係止凹部３２０ａの左上縁に当接して、それ以上の回転板３０４の反時計回り方向の回転は阻止される。
【００３３】
また、可動役物１０１が待機位置Ｐ０へ配置された状態から、回転板３０４が時計回り方向に回転して、図９に示すように、第２センサ３６２に対応する位置に遮光部３０８の他方の縁部となる検知部３０７が配置されると、第２センサ３６２は受光状態から遮光状態に変化する。したがって、第２センサ３６２から出力される信号が、受光状態を示す信号から遮光状態を示す信号に切り替わることで、ランプ制御基板２４は、図１０に示すように可動役物１０１が動作許可位置Ｐ１に配置されたことを検出することができ、第２センサ３６２は動作許可位置検出センサに相当する。なお、図１０、１３では、説明のために、ベース板３０１、回転板３０４、第１センサ３６１、第２センサ３６２等をすべて実線で図示しているが、これらは実際には上枠部３１ａから延設されて枠体部３１を構成する図示しない装飾部材で覆われて、前方からは略視認できないものとされる。ベース板３０１は、この図示しない装飾部材の裏面側に取り付けられている。
【００３４】
動作許可位置Ｐ１は、可動役物１０１が後述する第１の動作を行っても、その第１の動作時に周囲に存在する他の部材（本実施形態では、枠体部３１）と干渉しない位置であり、可動役物１０１の繰出方向における、待機位置Ｐ０から繰出完了位置Ｐ２までの間に存在し、本実施形態では、待機位置Ｐ０より下方で繰出完了位置Ｐ２より上方の位置とされている。なお、第１の動作時に周囲に存在する他の部材とは、枠体部３１のように可動役物１０１の周囲に固定的に存在する部材の他、可動役物１０１が第１の動作を行う時に可動役物１０１の周囲に出現する或いは出現している可動部材を含む意である。遊技機１では、例えば、他の部材が液晶画面６ａの中央部の前方部に出現する時は可動役物１０１を待機位置Ｐ０に待機させる等、遊技盤２の同じ部位に可動役物１０１と他の部材とが同時に出現しないように構成されている。なお、本実施形態では、遊技機１は、可動役物１０１が、動作許可位置Ｐ１及び繰出完了位置Ｐ２も含めて、動作許可位置Ｐ１から繰出完了位置Ｐ２まで繰出される間のいずれの位置において第１動作及び後述する第２の動作のいずれを行っても、その動作時に周囲に存在する他の部材と干渉しないように構成されている。
【００３５】
原動摺動体３１９は、後板部３２０と前板部３２１とを備えて、両者の間の左右の上下に、上軸支部３２５と下軸支部３２６を介在させて二個ずつのピニオン３２２が配設されるとともに、後板部３２０の上縁側の左右両側に、円筒状の案内スリーブ３２３が形成されている。なお、各上軸支部３２５、各下軸支部３２６及び後述する上ストッパ３２７にそれぞれ挿入される螺子より、前板部３２１は後板部３２０に固定される。
【００３６】
各案内スリーブ３２３には、上下方向に配置されたガイドロッド３１２が嵌挿されている。そして、原動摺動体３１９は、係止凹部３２０ａに係止突起３０９を係合させており、回転板３０４の回転に伴う係止突起３０９の上下動に伴って、ガイドロッド３１２、３１２に案内されて、上下動する。なお、ガイドロッド３１２、３１２は、ベース板３０１から突設される上支持部３１０と下支持部３１１とに上下両端を固定されている。
【００３７】
原動摺動体３１９の左右のピニオン３２２の間には、各ピニオン３２２に両側のラック歯を噛合させた固定側ラック３３０が、配設されている。固定側ラック３３０は、原動摺動体３１９の後板部３２０と前板部３２１との間で、原動摺動体３１９に対して、相対的に上下動可能に保持され、可動役物１０１の待機位置Ｐ０への配置時には、上端３３１をベース板３０１の上支持部３１０に当接させている。また、固定側ラック３３０は、上下方向に延びる摺動溝３３２を備え、原動摺動体３１９の後板部３２０には、摺動溝３３２の上縁３３３に当接可能な上ストッパ３２７と、摺動溝３３２の下縁３３４に当接可能な下ストッパ３２８と、が形成され、固定側ラック３３０は、原動摺動体３１９に対して、上ストッパ３２７と下ストッパ３２８との間で、相対的に上下動可能としている。
【００３８】
従動摺動体３４０は、原動摺動体３１９の左右のピニオン３２２における固定側ラック３３０と反対側で、ピニオン３２２に噛合する移動側ラック３４１を備えて構成され、原動摺動体３１９の左右の上軸支部３２５と下軸支部３２６とに摺動する摺動溝３４２を、左右に配設させている。従動摺動体３４０の下端部の前面部位である繰出可動部位３５０には、可動役物１０１が取り付けられている。また、引張りコイルばね３５２の上端を後板部３２０の下端部に、引張りコイルばね３５２の下端を取付部材３５３を介して従動摺動体３４０の下端部に連結することにより、従動摺動体３４０の下端部と原動摺動体３１９の下端部との間の左右には、引張りコイルばね３５２が配設されて、従動摺動体３４０を原動摺動体３１９に対して上昇させる方向に付勢し、待機位置Ｐ０や繰出完了位置Ｐ２への配置時の可動役物１０１が、振動を抑制して安定して配置されるように構成されている。また、従動摺動体３４０には、ベース板３０１から延びるスライドレール機構３１５が連結されて、下降移動時の前後左右の揺動が防止されている。
【００３９】
そして、繰出可動部位３５０に可動役物１０１が取り付けられていることから、従動摺動体３４０には、可動役物１０１の重量により繰出可動部位３５０を原動摺動体３１９から離間させる力が加わっている。但し、可動役物１０１が待機位置Ｐ０にあるときは、固定側ラック３３０が原動摺動体３１９に対する相対的な上昇を阻止されて、ピニオン３２２が回転できず、移動側ラック３４１が下降できないため、繰出可動部位３５０は下降できず、可動役物１０１は待機位置Ｐ０に保持されることとなる。一方、原動摺動体３１９が可動役物１０１を待機位置Ｐ０に配置させた状態から下降を始めたときは、ピニオン３２２が移動側ラック３４１を下降させて固定側ラック３３０を上昇させる方向に回転することから、固定側ラック３３０は原動摺動体３１９に対し相対的に上昇して、固定側ラック３３０の摺動溝３３２の下縁３３４が下ストッパ３２８に当接するまでは、上端３３１を上支持部３１０に当接させた状態を維持する。そして、原動摺動体３１９がさらに下降することにより、固定側ラック３３０の摺動溝３３２の下縁３３４が、下ストッパ３２８に当接すると（図１１参照）、固定側ラック３３０は、原動摺動体３１９とともに下降するようになって、上端３３１を上支持部３１０から離脱させる（図１２参照）。
【００４０】
従動摺動体３４０は、原動摺動体３１９の下降移動時において、原動摺動体３１９のピニオン３２２に移動側ラック３４１が噛合していることから、原動摺動体３１９の下降とともに下降するが、固定側ラック３３０の上端３３１が上支持部３１０に当接しているときは、原動摺動体３１９の下降に伴いピニオン３２２が回転し、このピニオン３２２の回転によっても移動側ラック３４１が下降することから、原動摺動体３１９の移動ストロークの２倍の移動ストロークで、下降移動することとなる。そして、さらに原動摺動体３１９が下降移動して、上述したように固定側ラック３３０の上端３３１が上支持部３１０から離脱してからは、ピニオン３２２が回転しないことから、原動摺動体３１９の移動ストロークと同じ移動ストロークで、従動摺動体３４０は下降移動することとなる。このことは、原動摺動体３１９の上昇移動時も同様であり、すなわち、原動摺動体３１９の上昇移動時、固定側ラック３３０の上端３３１が上支持部３１０に当接していないときは、従動摺動体３４０は、原動摺動体３１９の移動ストロークと同じ移動ストロークで、上昇移動し、固定側ラック３３０の上端３３１が上支持部３１０に当接してからは、従動摺動体３４０は、原動摺動体３１９の移動ストロークの２倍の移動ストロークで、上昇移動する。したがって、可動役物１０１は、繰出時初めは速くその後ゆっくりと繰出され、引込時初めはゆっくりとその後速く引込まれることとなる。
【００４１】
なお、可動役物１０１の繰出完了位置Ｐ２への配置時には、図１２に示すように、原動摺動体３１９が、案内スリーブ３２３を、ガイドロッド３１２の下端を固定している下支持部３１１に当接させ、従動摺動体３４０が、摺動溝３４２の上縁３４３を原動摺動体３１９の上軸支部３２５に当接させて、位置規制された状態としている。また、この時、上述したように、固定側ラック３３０は、上端３３１をベース板３０１の上支持部３１０から離脱させ、摺動溝３３２の下縁３３４を下ストッパ３２８に当接させている。一方、可動役物１０１の待機位置Ｐ０への配置時には、図８に示すように、固定側ラック３３０と従動摺動体３４０とが、上端３３１、３４５（図５参照）を上支持部３１０に当接させ、摺動溝３３２の上縁３３３を上ストッパ３２７に当接させ、摺動溝３４２の下縁３４４を原動摺動体３１９の下軸支部３２６に当接させた状態としている。
【００４２】
また、図６に示すように、繰出装置３００の背面側には、ベース板３０１の背面側から延びるフレキシブルハーネス３６５を、不要に折り曲げないようにしつつ、蛇腹状に収納したハーネスカバー３６６が配設され、このフレキシブルハーネス３６５は、可動役物１０１や第２画像表示器１０２に接続される図示しないフレキシブルハーネスを結線させた配線基板３６４に、接続される。
【００４３】
可動役物１０１は、小可動体（可動部に相当。）１０３、１０４と、小可動体１０３、１０４を保持する役物本体（本体部に相当。）１０５とを備えて構成され、役物本体１０５は、第２画像表示器１０２を備えて、中央部前面に第２画像表示器１０２の液晶画面１０２ａを配置させている。役物本体１０５は、小可動体１０３、１０４を支持する小可動体支持部１１２、１１２と、待機状態における左右に突出部１０８ａを有して、突出部１０８ａ、１０８ａに小可動体支持部１１２、１１２が取り付けられた略円形状の小可動体支持板１０８と、小可動体支持板１０８の前側に重ねて設けられて液晶画面１０２ａが配置される略楕円形状の前板部材１１０と、小可動体支持板１０８の後側に小可動体支持板１０８と同心に取り付けられた略円形状の回転板１１５と、回転板１１５が回転可能に取り付けられるとともに第２電動モータ１０７が取り付けられた略円形状のベース部材１１１とを備えている。そして、可動役物１０１は、上述したように繰出装置３００の作動によって液晶画面６ａに沿った移動（本実施形態では、上下動）を行うとともに、第２電動モータ１０７によって作動することにより、小可動体１０３、１０４が、役物本体１０５に沿って揺動する第１の動作（図１４参照）と、遊技盤面に沿って役物本体１０５の周囲を回転（旋回）する第２の動作（図１５参照）とを行うように構成されている。
【００４４】
詳しくは、可動役物１０１は、第１動作及び第２動作を行うための機構として、図６、７に示すように、第２電動モータ１０７と、前板部材１１０に形成された略長円形状の太陽歯車１０９と、各小可動体支持部１１２内に配設された遊星歯車１１３及び調整歯車１１４とを備えている。各遊星歯車１１３は大径歯車１１３ａと小径歯車１１３ｂとが同心で一体形成された二段ギアであり、大径歯車１１３ａが太陽歯車１０９に噛合し、小径歯車１１３ｂが調整歯車１１４に噛合している。調整歯車１１４、１１４には、小可動体１０３、１０４が固定されている。小可動体支持部１１２、１１２は、小可動体支持板１０８の径方向に沿って所定距離を移動可能に小可動体支持板１０８に取り付けられており、すなわち、小可動体支持板１０８の中心に近づいたり小可動体支持板１０８の中心から遠ざかったりすることが可能である。また、小可動体支持部１１２の小可動体支持板１０８の中心側に設けられた突起１１７が、前板部材１１０の太陽歯車１０９の内周側に沿って設けられたレール部１１６に嵌合されており、このレール部１１６の全体形状が、図７に示すように、前板部材１１０の中心Ｏから外縁までの距離に応じて、各小可動体支持部１１２が小可動体支持板１０８の中心に近づいたり小可動体支持板１０８の中心から遠ざかったりするように、上下が凹んだ略長円状とされている。
【００４５】
そして、第２電動モータ１０７が作動することにより、図示しない歯車機構を介して回転板１１５が回転し、この回転に伴って、回転板１１５に固定された小可動体支持板１０８が回転して、小可動体１０３、１０４が前板部材１１０の周りを回転すると、前板部材１１０の中心Ｏから外縁までの距離に応じて、各小可動体支持部１１２が小可動体支持板１０８の中心に近づいたり小可動体支持板１０８の中心から遠ざかったりするため、小可動体支持部１１２、１１２に支持された小可動体１０３、１０４は、図１５に示すように、前板部材１１０から離れることなく前板部材１１０の外周に沿って回転する。なお、小可動体支持板１０８の中心は、中心Ｏに前後方向で一致している。
【００４６】
また、小可動体支持板１０８の回転に伴って小可動体１０３、１０４が前板部材１１０の周りを回転するとき、遊星歯車１１３、１１３が太陽歯車１０９に沿って自転しつつ公転し、遊星歯車１１３、１１３の小径歯車１１３ｂ、１１３ｂに噛合した調整歯車１１４、１１４が回転して、小可動体１０３、１０４も回転する。このとき、小可動体１０３、１０４が待機状態における上下方向を保ったまま前板部材１１０の周りを回転するように、小径歯車１１３ｂと調整歯車１１４とのギア比が設定されている。このため、図１５に示すように、小可動体１０３、１０４は、前板部材１１０の周りを回転する際、待機状態における上下方向を維持する第３の動作を行う。
【００４７】
以上のように構成された可動役物装置１００の動作について、次に説明する。演出制御基板２２は、メイン制御基板２０から装飾図柄変動を開始させるための変動開始コマンドを受信すると、そのコマンドを解析して、装飾図柄変動時の演出を選択する。そして、選択した演出が可動役物装置１００を動作させるものであった場合、ランプ制御基板２４に可動役物装置１００を作動させるための可動役物作動コマンドを出力する。なお、装飾図柄変動時の演出として、可動役物装置１００に着目すれば、可動役物装置１００が第１の動作と第２の動作とを行う演出、可動役物装置１００が第１の動作のみを行う演出、及び、可動役物装置１００が動作を行わない演出の３種類があり、例えば、大当たりとなるときは、外れとなるときよりも、可動役物装置１００が第１の動作と第２の動作とを行う演出が選択され易く、外れとなるときであってもリーチとなるときは、リーチとならないときよりも、可動役物装置１００が第１の動作のみを行う演出が選択され易い等、装飾図柄変動演出により報知される大当たり抽選の結果によって、演出の選択確率は異なっている。
【００４８】
可動役物作動コマンドを受信したランプ制御基板２４は、図１６に示す可動役物作動処理を行う。可動役物作動処理では、まず、ランプ制御基板２４は、可動役物１０１が待機位置Ｐ０にあるか否かを、第１センサ３６１が遮光状態で、かつ、第２センサ３６２が受光状態であるか否かにより判定し（Ｓ１０１）、第１センサ３６１が受光状態、または、第２センサ３６２が遮光状態であると判定したときは、第１電動モータ３０２を単位ステップ数だけ逆方向に回転させる処理（Ｓ１０２）を行って、ステップＳ１０１に戻る。一方、第１センサ３６１が遮光状態で、かつ、第２センサ３６２が受光状態であると判定したときは、ステップＳ１０３に進む。なお、単位ステップ数は任意であり、ステップＳ１０２、後述するステップＳ１０３、１０８、１１２における単位ステップ数を、それぞれ異なるものとしてもよいが、本実施形態では、全て１ステップとする。
【００４９】
また、第１電動モータ３０２の回転方向につき、正方向とは可動役物１０１を繰出す方向（繰出完了位置Ｐ２に向かう方向であり、本実施形態では、可動役物１０１を下降させる方向）をいい、逆方向とは可動役物１０１を引込む方向（待機位置Ｐ０に復帰させる方向であり、本実施形態では、可動役物１０１を上昇させる方向）をいうものとする。すなわち、第１電動モータ３０２が正方向に回転すると、回転板３０４が正面から見て時計回り方向に回転し、上述したように、回転板３０４の回転に伴い係止突起３０９が下降して係止凹部３２０ａが押し下げられることにより、原動摺動体３１９が下降し、これに伴って従動摺動体３４０が下降して、可動役物１０１が下降する。一方、第１電動モータ３０２が逆方向に回転すると、回転板３０４が正面から見て反時計回り方向に回転し、回転板３０４の回転に伴い係止突起３０９が上昇して係止凹部３２０ａが押し上げられることにより、原動摺動体３１９が上昇し、これに伴って従動摺動体３４０が上昇して、可動役物１０１が上昇することとなる。
【００５０】
したがって、ステップＳ１０１、１０２の処理により、可動役物１０１は待機位置Ｐ０に復帰することとなる。なお、前回可動役物作動処理を行ったときに、正常終了していれば、可動役物１０１は待機位置Ｐ０に復帰しているが、異常終了していれば、可動役物１０１が待機位置Ｐ０に復帰していない虞があるために、ステップＳ１０１、１０２の処理を行うものであり、可動役物作動処理の開始時には必ず可動役物１０１が待機位置Ｐ０に復帰しているように構成されている場合には、ステップＳ１０１、１０２の処理は不要である。
【００５１】
ステップＳ１０３では、ランプ制御基板２４は、第１電動モータ３０２を単位ステップ数、正方向に回転させる。したがって、可動役物１０１は下降する。次に、ランプ制御基板２４は、可動役物１０１が動作許可位置Ｐ１にあるか否かを、第２センサ３６２が遮光状態か否かにより判定する（Ｓ１０３）。そして、第２センサ３６２が遮光状態でなければ、ステップＳ１０３に戻り、第２センサ３６２が遮光状態であれば、すなわち、第２センサ３６２が受光状態から遮光状態になったため、可動役物１０１が動作許可位置Ｐ１まで繰出されたと判断して、第１の動作を可動役物１０１に行わせる（Ｓ１０５）。このように、ランプ制御基板２４は、可動役物１０１が動作許可位置Ｐ１にあることを第２センサ３６２が検出したことを条件として、第１の動作を可動役物１０１に行わせる。
【００５２】
第１の動作は、前板部材１１０の周りの所定範囲における小可動体１０３、１０４の回転・逆回転を、短時間に複数回繰り返すことにより、小可動体１０３、１０４を細かく揺動させる動作であり、ランプ制御基板２４は、第２電動モータ１０７を所定ステップ数だけ正・逆方向に回転させることにより、第１の動作を可動役物１０１に行わせる。ここで、第２電動モータ１０７の回転方向につき、正方向とは小可動体１０３、１０４を前板部材１１０の周りを正面から見て右回り方向に回転させる方向をいい、逆方向とは小可動体１０３、１０４を前板部材１１０の周りを正面から見て左回り方向に回転させる方向をいうものとする。したがって、図１４に示すように、小可動体１０３、１０４は、（ａ）の初期状態から、（ｂ）の状態、（ｃ）の状態、再び（ａ）の状態、というように繰り返して状態を遷移させた後、役物本体１０５に設けられた図示しない初期位置検出センサで位置を検出されることにより、（ａ）の初期状態に復帰する。また、小可動体１０３、１０４は、第１の動作時、図１０の二点鎖線で示すように動作することとなるが、この第１の動作を行っても、第１の動作時に周囲に存在する他の部材と干渉することはない。
【００５３】
次に、ランプ制御基板２４は、可動役物作動コマンドが第２の動作を行うものである場合には（Ｓ１０６でＹＥＳ）、ステップＳ１０７に進み、可動役物作動コマンドが第２の動作を行うものでない場合には（Ｓ１０６でＮＯ）、ステップＳ１１２に進む。ランプ制御基板２４は、ステップＳ１０７に進むと、ＲＡＭ内に設けているステップ数カウンタをゼロクリアし、第１電動モータ３０２を単位ステップ数だけ正方向に回転させて（Ｓ１０８）、可動役物１０１をさらに繰出す。そして、ステップ数カウンタを１増加させる（Ｓ１０９）。このステップ数カウンタにより、ランプ制御基板２４は、ステップ数カウンタが１以上であれば、第１電動モータ３０２が可動役物１０１を繰出すように駆動したと判定し、ステップ数カウンタが１以上でなければ、第１電動モータ３０２が可動役物１０１を繰出すように駆動していないと判定することができる。なお、本実施形態では、ランプ制御基板２４は、第１電動モータ３０２が可動役物１０１を所定位置（具体的には、繰出完了位置Ｐ２）まで繰出すように駆動したか否かを判定することとし、このため、ステップ数カウンタが所定数であるか否かを判定する（Ｓ１１０）。この所定数は、動作許可位置Ｐ１から繰出完了位置Ｐ２まで可動役物１０１を繰出すのに必要なステップ数に相当する。
【００５４】
そして、ランプ制御基板２４は、第１電動モータ３０２が可動役物１０１を繰出完了位置Ｐ２まで繰出すように駆動していないと判定した場合には（Ｓ１１０でＮＯ）、ステップＳ１０８に戻り、第１電動モータ３０２が可動役物１０１を繰出完了位置Ｐ２まで繰出すように駆動したと判定した場合には（Ｓ１１０でＹＥＳ）、第２の動作を可動役物１０１に行わせる（Ｓ１１１）。第２の動作は、小可動体１０３、１０４を前板部材１１０に沿って回転させる動作であり、ランプ制御基板２４は、第２電動モータ１０７を所定ステップ数だけ正方向に回転させることにより、第２の動作を可動役物１０１に行わせる。したがって、図１５に示すように、小可動体１０３、１０４は、（ａ）の初期状態から、（ｂ）の状態、（ｃ）の状態、（ｄ）の状態、再び（ａ）の状態、というように繰り返して状態を遷移させた後、役物本体１０５に設けられた図示しない初期位置検出センサで位置を検出されることにより、（ａ）の初期状態に復帰する。また、小可動体１０３、１０４は、第２の動作時、図１３の二点鎖線で示す範囲Ａを動作範囲とするが、この第２の動作を行っても、第２の動作時に周囲に存在する他の部材と干渉することはない。また、この範囲Ａは、第１の動作時における小可動体１０３、１０４の動作範囲よりも、遊技盤面に沿った面積が広い。
【００５５】
ランプ制御基板２４は、可動役物１０１が第２の動作を終了すると（Ｓ１１１）、ステップＳ１１２に進んで、第１電動モータ３０２を単位ステップ数だけ逆方向に回転させて（Ｓ１１２）、可動役物１０１を引込む。そして、可動役物１０１が待機位置Ｐ０に復帰したか否かを、第１センサ３６１が遮光状態で、かつ、第２センサ３６２が受光状態であるか否かにより判定し（Ｓ１１３）、第１センサ３６１が受光状態、または、第２センサ３６２が遮光状態であると判定したときは、ステップＳ１１２に戻り、第１センサ３６１が遮光状態で、かつ、第２センサ３６２が受光状態であると判定したときは、処理を終える。
【００５６】
以上、説明したように、遊技機１は、可動役物１０１が第１の動作を行ってもその第１の動作時に周囲に存在する他の部材と干渉しない位置である動作許可位置Ｐ１にあることを検出する第２センサ３６２を備え、可動役物１０１が動作許可位置Ｐ１にあることを第２センサ３６２が検出したことを条件として、可動役物１０１が第１の動作を行うように構成されているので、可動役物１０１が第１の動作時に他の部材と干渉する虞を低減可能である。
【００５７】
また、可動役物１０１が動作許可位置Ｐ１で第１の動作を行い、動作許可位置Ｐ１から更に繰出された位置である繰出完了位置Ｐ２で、第１の動作とは異なる第２の動作を行うので、可動役物１０１による演出効果を向上可能である。なお、このことを考慮しなければ、第２の動作は第１の動作と同じであってもよい。また、本実施形態では、第２の動作時の動作範囲（すなわち、図１３の二点鎖線で示す範囲Ａ）は、第１の動作時における小可動体１０３、１０４の動作範囲よりも、遊技盤面に沿った面積が広い。このように、第２の動作を、第１の動作と異なり、第１の動作よりも遊技盤面に沿った動作範囲が広い動作とすれば、可動役物１０１による演出効果をさらに向上可能である。また、第２の動作を行う位置を、必ずしも、繰出完了位置Ｐ２に一致させなくてもよい。すなわち、動作許可位置Ｐ１で第１の動作を、その後さらに繰出された位置で第２の動作を行い、その後さらに繰出された位置である繰出完了位置Ｐ２に到達したら、可動役物１０１を引込むようにしてもよい。
【００５８】
また、遊技機１は、動作許可位置Ｐ１に可動役物１０１があることを第２センサ３６２で検出した後に、第１電動モータ３０２が可動役物１０１を繰出完了位置Ｐ２まで繰出すように駆動したとランプ制御基板２４が判定したことを条件として、可動役物１０１が第２の動作を行うので、可動役物１０１が繰出完了位置Ｐ２にあることを検出するセンサを設けることなく、第２の動作時に可動役物１０１が他の部材と干渉する虞を低減可能である。なお、遊技機１は、繰出完了位置Ｐ２を含めて、動作許可位置Ｐ１から繰出完了位置Ｐ２までのいずれの位置において、可動役物１０１が第２の動作を行っても、その第２の動作時に周囲に存在する他の部材と可動役物１０１が干渉することはないように構成されている。したがって、動作許可位置Ｐ１に可動役物１０１があることを第２センサ３６２で検出した後に、第１電動モータ３０２が可動役物１０１を（いずれの位置までかを問わず）繰出すように駆動したとランプ制御基板２４が判定したことを条件として、可動役物１０１が第２の動作を行うこととしてもよく、そうすれば、可動役物１０１が第２の動作を行える位置にあることを検出するセンサを設けることなく、第２の動作時に可動役物１０１が他の部材と干渉する虞を低減可能である。
【００５９】
また、一般に液晶画面６ａの周辺部の前方部から中央部の前方部に行く程、液晶画面６ａの周囲の他の部材から遠ざかって、他の部材と干渉する虞が少なくなるが、遊技機１では、可動役物１０１を液晶画面６ａの周辺部の前方部から液晶画面６ａの中央部の前方部方向に繰出される構成としているので、可動役物１０１を、動作許可位置Ｐ１から繰出完了位置Ｐ２まで繰出す間のいずれの位置において動作を行っても、その動作時に周囲に存在する他の部材と可動役物１０１が干渉することがないように、容易に構成することができる。
【００６０】
なお、動作許可位置Ｐ１を、繰出完了位置Ｐ２と一致させてもよい。
【００６１】
また、本実施形態では、可動役物１０１が遊技盤面に沿って繰出されることとしたが、例えば、遊技盤面に略直交する方向に繰出す等、可動役物１０１の繰出方向は任意である。
【００６２】
また、可動役物１０１の重量と引張りコイルばね３５２の付勢力によっては、摺動溝３４２の上縁３４３が原動摺動体３１９の上軸支部３２５に当接しない状態で、可動役物１０１が従動摺動体３４０を下降させる力と、引張りコイルばね３５２が従動摺動体３４０を上昇させる力とが釣り合う場合があり、かかる場合には、固定側ラック３３０が上端３３１を上支持部３１０から離脱させた状態においても、摺動溝３４２の上縁３４３が上軸支部３２５に当接せず、固定側ラック３３０の摺動溝３３２の下縁３３４が原動摺動体３１９の下ストッパ３２８に当接しないまま、原動摺動体３１９とともに固定側ラック３３０及び従動摺動体３４０が上下動する。このように、従動摺動体３４０の摺動溝３４２の上縁３４３が原動摺動体３１９の上軸支部３２５に当接し、固定側ラック３３０の摺動溝３３２の下縁３３４が原動摺動体３１９の下ストッパ３２８に当接することは、固定側ラック３３０が上端３３１を上支持部３１０から離脱させることの必須要件ではない。
【００６３】
また、可動役物作動処理において、ステップＳ１０７の処理をステップＳ１０１の直後に行うこととし、すなわち、ステップＳ１０１で可動役物１０１が待機位置Ｐ０に復帰した時にステップ数カウンタをゼロクリアすることとし、ステップＳ１０３で第１電動モータ３０２を単位ステップ数正方向に回転させたときにも１増加させるようにして、ランプ制御基板２４が、可動役物１０１が待機位置Ｐ０にある時からのステップ数を監視できるように構成し、このステップ数が増加しているか否かにより、第１電動モータ３０２が可動役物１０１を繰出すように駆動したか否かを判定するようにしてもよい。また、ステップ数の監視ではなく、例えば、第１電動モータ３０２に出力される信号を監視する等、他の方法により、ランプ制御基板２４が、第１電動モータ３０２が可動役物１０１を繰出すように駆動したか否かを判定するように構成してもよい。要するに、ランプ制御基板２４が、センサでの検出によらずに、第１電動モータ３０２の動作を監視することにより、第２の動作を行うべき位置や繰出完了位置に可動役物１０１が配置されたか否かを判定すればよい。
【符号の説明】
【００６４】
１…遊技機
６ａ…液晶画面（画像表示画面）
２４…ランプ制御基板（制御手段）
１０１…可動役物
３０２…第１電動モータ（駆動部）
３６２…第２センサ（動作許可位置検出センサ）
Ｐ０…待機位置
Ｐ１…動作許可位置
Ｐ２…繰出完了位置
【図１】
0005689439.tif 000002
【図２】
0005689439.tif 000003
【図３】
0005689439.tif 000004
【図４】
0005689439.tif 000005
【図５】
0005689439.tif 000006
【図６】
0005689439.tif 000007
【図７】
0005689439.tif 000008
【図８】
0005689439.tif 000009
【図９】
0005689439.tif 000010
【図１０】
0005689439.tif 000011
【図１１】
0005689439.tif 000012
【図１２】
0005689439.tif 000013
【図１３】
0005689439.tif 000014
【図１４】
0005689439.tif 000015
【図１５】
0005689439.tif 000016
【図１６】
0005689439.tif 000017